(57)【要約】【課題】咀嚼時に人工歯が沈んだり弾性樹脂床が開くことが抑止され安定した咬合が可能であると共に、弾性樹脂床が破切することもない弾性樹脂床を備えた義歯を提供する。【解決手段】本考案の弾性樹脂床を備えた義歯は、弾性樹脂床内に様々な形態の線状補強材が配されていることを主要な特徴とするものであり、例えば弾性樹脂床を備えた義歯１は、歯頸に被着される弾性樹脂床２と、弾性樹脂床２に植設された人工歯３とを有し、弾性樹脂床２には、中間部４ａが維持歯の境界部付近に架橋されると共に、両側部４ｂが唇側或いは頬側と、舌側或いは口蓋側とにそれぞれ埋入された線状補強材４が配されている。【選択図】図１
0003107256.tif 000002
【実用新案登録請求の範囲】
【請求項１】
歯頸に被着される弾性樹脂床と、該弾性樹脂床に植設された人工歯とを有し、前記弾性樹脂床には、中間部が維持歯の境界部付近に架橋されると共に、両側部が唇側または頬側と、舌側或いは口蓋側とにそれぞれ埋入された線状補強材が配されていることを特徴とする弾性樹脂床を備えた義歯。
【請求項２】
前記線状補強材の両側部は、装着される歯茎に沿って横方向に延在する延在部を有している請求項１に記載の弾性樹脂床を備えた義歯。
【請求項３】
歯頸に被着される弾性樹脂床と、該弾性樹脂床に植設された人工歯とを有し、前記弾性樹脂床には、中間部が維持歯の両境界部付近に架橋されると共に、両側部が唇側または頬側と、舌側或いは口蓋側とにそれぞれ埋入された線状補強材が環状に配されていることを特徴とする弾性樹脂床を備えた義歯。
【請求項４】
前記弾性樹脂床は、装着される歯茎に沿って平面視で略Ｕ字型に形成されており、舌側或いは口蓋側には、略Ｕ字型の第２の線状補強材が埋入されている請求項１ないし３のいずれかに記載の弾性樹脂床を備えた義歯。
【請求項５】
歯頸に被着される弾性樹脂床と、該弾性樹脂床に植設された人工歯とを有し、前記弾性樹脂床は、装着される歯茎に沿って平面視で略Ｕ字型に形成されており、舌側或いは口蓋側には、略Ｕ字型の線状補強材が埋入され、該線状補強材は唇側または頬側に向かって波打つように波状に形成されていることを特徴とする弾性樹脂床を備えた義歯。
【請求項６】
歯頸に被着される弾性樹脂床と、該弾性樹脂床に植設された人工歯とを有し、前記弾性樹脂床には、維持歯の側面に沿って横方向に延在する第１補強部と、該第１補強部と一体的に形成され装着される歯茎の基端方向に向かって延在する第２補強部とから構成される線状補強材が埋入されていることを特徴とする弾性樹脂床を備えた義歯。
【請求項７】
前記線状補強材は、前記第１補強部および第２補強部と一体的に形成され、維持歯の裂溝付近に係止可能な係止部を有している請求項６に記載の弾性樹脂床を備えた義歯。
【請求項８】
前記線状補強材は、金属線、金属鋳造物、或いはガラス繊維のいずれかである請求項１ないし７のいずれかに記載の弾性樹脂床を備えた義歯。
【考案の詳細な説明】
【技術分野】
【０００１】
本考案は、弾性樹脂床を備えた義歯に関するものである。より詳しくは、食物の咀嚼に際して安定して咬合可能な弾性樹脂床を備えた義歯に関する。
【背景技術】
【０００２】
従来より、歯頸に被着される弾性樹脂床と、弾性樹脂床に植設された人工歯とからなる義歯が多用されている。（特開平１０−２１１２１９号公報参照）
この種の義歯はアクリル樹脂などの硬質樹脂で形成された床に比して柔軟であるため、装着時や咀嚼時の抵抗感や違和感が少なく、また清潔かつ臭いが付着することも少なく、さらに審美性に優れるなどの利点がある。
【０００３】
しかし、弾性樹脂床は、逆に弾性があり過ぎるため、咀嚼時に人工歯が沈んだり、それに伴って弾性樹脂床が唇側、舌側或いは口蓋側にそれぞれ開いて安定した咬合が困難であった。また、弾性樹脂床全体に維持力がなく頻繁に伸縮を繰り返すと破切し易いという欠点があった。
【特許文献１】特開平１０−２１１２１９号公報
【考案の開示】
【考案が解決しようとする課題】
【０００４】
そこで、本考案の課題は、咀嚼時に人工歯が沈んだり弾性樹脂床が開くことが抑止され安定した咬合が可能であると共に、弾性樹脂床が破切することもない弾性樹脂床を備えた義歯を提供することにある。
【課題を解決するための手段】
【０００５】
本考案の弾性樹脂床を備えた義歯は、弾性樹脂床内に様々な形態の線状補強材が配されていることを主要な特徴とするものである。
【考案の効果】
【０００６】
請求項１に記載の考案によれば、線状補強材の中間部が維持歯の境界部付近に架橋されて係止されているため、咀嚼時に義歯全体が沈むことが抑制されて人工歯が沈んだり弾性樹脂床が開くことが抑止される。また、線状補強材の両端部が弾性樹脂床の唇側または頬側と、舌側或いは口蓋側にそれぞれ埋入されているため、弾性樹脂床が開くことが抑止される。これらの作用により安定した咬合が可能であると共に、弾性樹脂床が破切することが防止される。
請求項２に記載の考案によれば、横方向に延在する延在部が配されるエリアに渡ってより広く、かつ、より強く、弾性樹脂床の開きが抑止される。
請求項３に記載の考案によれば、維持歯の周囲において、より強く弾性樹脂床の開きが抑止される。
請求項４に記載の考案によれば、第２の線状補強材が線状補強材と共働して、上記線状補強材の効果を、弾性樹脂床全体にバランス好く波及させることができると共に、弾性樹脂床の破切をより防止できる。
請求項５に記載の考案によれば、上下方向の咬合力を弾性樹脂床全体に、よりバランス好く三次元的に波及させることができる。
請求項６に記載の考案によれば、第１補強部および第２補強部により、弾性樹脂床が補強されるため、弾性樹脂床が開くことが抑止され、より安定した咬合が可能となる。
請求項７に記載の考案によれば、義歯全体が係止部により維持歯に係止されるため、咀嚼時に義歯全体が沈むことが抑制されて人工歯が沈んだりすることも抑止され、安定した咬合が可能となる。
請求項８に記載の考案によれば、上記各請求項の効果を奏する弾性樹脂床を備えたより良好な義歯を作製できる。
【考案を実施するための最良の形態】
【０００７】
まず、本考案の弾性樹脂床を備えた義歯を、図１ないし図３に示した一実施例を用いて説明する。
【実施例１】
【０００８】
図１は、本考案の弾性樹脂床を備えた義歯の一実施例の斜視図であり、図２は図１に示した弾性樹脂床を備えた義歯を歯茎に装着した状態を示す説明図であり、図３は図１のＡ−Ａ線断面図である。
【０００９】
この実施例の弾性樹脂床を備えた義歯１は、歯頸に被着される弾性樹脂床２と、弾性樹脂床２に植設された人工歯３とを有し、弾性樹脂床２には、装着すると中間部４ａが維持歯の境界部付近に架橋されると共に、両側部４ｂが唇側または頬側と、舌側（下側の歯に対する義歯の場合）或いは口蓋側（上側の歯に対する義歯の場合）とにそれぞれ埋入された線状補強材４が配されていることを特徴とする義歯である。以下、各構成について順次詳述する。
【００１０】
弾性樹脂床２は、歯頸に被着される部位であり、換言すれば、口腔内で隆起する歯茎７０に沿って装着される部位であり、図１または図２に示すように、装着時に唇側または頬側に配される唇側頬側床部２ａと、舌側或いは口蓋側に配される舌側口蓋側床部２ｂと、人工歯３を植設すると共に維持歯などの天然歯７１を挿入する空孔部２ｃを備えた登頂床部２ｄとから構成され、それらが弾性樹脂にて一体成形されている。
【００１１】
弾性樹脂床２を形成する弾性樹脂材料としては、コーポリアミド系樹脂、アミド系樹脂、シリコーン系樹脂、ナイロン系樹脂、ポリカーボネート系樹脂、ポリエチレン系樹脂、またはそれらの混合共重合体などが好適に使用される。
【００１２】
弾性樹脂床２には、図１ないし図３に示すように、歯茎７０に装着すると、中間部４ａが維持歯７１の境界部付近に架橋されることとなり、両側部４ｂが唇側または頬側と、舌側或いは口蓋側とにそれぞれ埋入された状態となる線状補強材４が配されている。なお、維持歯７１の境界部付近とは、維持力を求める天然歯と他の歯との境界近傍を意味する。また、中間部４ａと両側部４ｂは一本の線状補強材４にて形成されており、線状補強材４が屈曲または湾曲されて中間部４ａと両側部４ｂとが構成されている。
【００１３】
このように、義歯１は歯茎７０に装着されると、線状補強材４の中間部４ａが維持歯７１の境界部付近に架橋されて係止されるため、咀嚼時に義歯１全体が沈むことが抑制されて、人工歯３が沈んだり弾性樹脂床２が押圧されて唇側または頬側と、舌側或いは口蓋側に開くことが抑止される。また、線状補強材４の両側部４ｂが弾性樹脂床２の唇側または頬側と舌側或いは口蓋側にそれぞれ埋入されているため、これによっても弾性樹脂床２が開くことが抑止される。そして、これらの作用により安定した咬合が可能であると共に、弾性樹脂床２全体に維持力が作用して破切することも防止される。さらに、線状補強材４の中間部４ａは維持歯７１の境界部付近に架橋されているため、審美性を損ねることもない。なお、この実施例の中間部４ａは、弾性樹脂床２内に埋入されているが、中間部が外部に露呈しているものも本考案の範疇に包含される。
【００１４】
線状補強材４としては、歯科用矯正線（例えば、コバルトクローム線など）、歯科用鋳造金属物（例えば、貴金属、チタン合金、コバルトクローム合金、パラジウム合金など）、または、ガラス繊維（例えば、ポリエチレン、エトキシレイテッドビスフェノールおよびメタクリレートを主成分とした帯状のリボン歯科用ガラス繊維など）が好適に使用できる。なお、この実施例では、歯科用矯正線が使用されている。
【００１５】
また、この実施例の線状補強材４の両側部４ｂは、図１または図２に示すように、装着される歯茎７０に沿って横方向に延在する延在部４ｃを有している。これにより、横方向に延在する延在部４ｃが配されるエリアに渡ってより広く、かつ、より強く、弾性樹脂床２の開きが抑止される。
【００１６】
つぎに、図４および図５に示した本考案の他の実施例について説明する。
この実施例の弾性樹脂床を備えた義歯１０は、歯頸に被着される弾性樹脂床１２と、弾性樹脂床１２に植設された人工歯３とを有し、弾性樹脂床１２には、装着すると中間部１４ａが維持歯７１の両境界部付近に架橋され、両側部１４ｂが唇側または頬側と、舌側或いは口蓋側とにそれぞれ埋入された線状補強材１４が環状に配されていると共に、弾性樹脂床１２は、装着される歯茎７０に沿って平面視で略Ｕ字型に形成されており、その舌側或いは口蓋側には、略Ｕ字型の第２の線状補強材１５が埋入されている。以下、各構成について詳述するが、前述した弾性樹脂床を備えた義歯１と同一構成部分については同一符号を付し説明を省略する。
【００１７】
この実施例の弾性樹脂床を備えた義歯１０と前述した弾性樹脂床を備えた義歯１との第１の相違は、線状補強材１４が維持歯７１の周囲に環状に配されている点であり、これにより、維持歯７１の周囲において、より強く弾性樹脂床の開きが抑止される。
【００１８】
また、この実施例の弾性樹脂床１２は、装着される歯茎７０に沿って平面視で略Ｕ字型に形成されており、舌側或いは口蓋側には、略Ｕ字型の第２の線状補強材１５が埋入されている。これにより、第２の線状補強材１５が線状補強材１４と共働して、線状補強材１４の効果を、弾性樹脂床１２全体にバランス好く波及させることができると共に、弾性樹脂床１２の破切をより防止できる。なお、７１ａは維持歯以外の天然歯である。また、線状補強材１４または第２の線状補強材１５としては、歯科用矯正線が使用されている。
【００１９】
さらに、図６および図７に示した本考案の他の実施例について説明する。
この実施例の弾性樹脂床を備えた義歯２０は、歯茎７０に被着される弾性樹脂床１２と、弾性樹脂床１２に植設された人工歯３とを有し、弾性樹脂床１２には、中間部１４ａが維持歯７１の両境界部付近に架橋され、両側部１４ｂが唇側または頬側と、舌側或いは口蓋側とにそれぞれ埋入された線状補強材１４が環状に配されていると共に、弾性樹脂床１２は、装着される歯茎７０に沿って平面視で略Ｕ字型に形成されており、その舌側或いは口蓋側には、略Ｕ字型の第２の線状補強材２１が埋入され、この第２の線状補強材２１は、唇側または頬側に向かって波打つように波状に形成されている。
【００２０】
この実施例の弾性樹脂床を備えた義歯２０と前述した弾性樹脂床を備えた義歯１０との相違は、第２の線状補強材２１の形態のみであり他は同じである。弾性樹脂床を備えた義歯１０と同一構成部分については同一符号を付し説明を省略する。
【００２１】
この実施例の第２の線状補強材２１は、図６に示すように、唇側または頬側に向かって波打つように波状に形成されており、これにより、咬合力（上下方向の力）を弾性樹脂床全体によりバランス好く三次元的に波及させることができる。また、この実施例の第２の線状補強材２１は、図７に示すように、縦断面が矩形で扁平体となるように鍛練した金属線にて形成されており、より強固に弾性樹脂床１２の弾性力を抑制する。
【００２２】
さらに、図８に示した本考案の他の実施例について説明する。
この実施例の弾性樹脂床を備えた義歯３０は、歯頸に被着される弾性樹脂床２と、弾性樹脂床２に植設された人工歯３とを有し、弾性樹脂床２には、装着されると維持歯７１の側面に沿って横方向に延在する第１補強部３１ａと、第１補強部３１ａと一体的に形成され、装着される歯茎７０の基端方向に向かって延在する第２補強部３１ｂとから構成された線状補強材３１が埋入されている。
【００２３】
この実施例の線状補強材３１は、歯科用鋳造金属物にて一体成形されており、第１補強部３１ａおよび第２補強部３１ｂにより、弾性樹脂床２が補強されるため、弾性樹脂床２が開くことが抑止され、より安定した咬合が可能となる。
【００２４】
また、この実施例の線状補強材３１は、第１補強部３１ａおよび第２補強部３１ｂと一体的に形成され、維持歯７１の裂溝７２付近に係止可能な係止部３１ｃを有している。この係止部３１ｃにより、義歯３０全体が維持歯７１に係止されるため、咀嚼時に義歯３０が沈むことが抑制されて人工歯３が沈んだりすることが抑止され、安定した咬合が可能となる。なお、第１補強部３１ａには、多数の貫通孔３１ｄが形成されており、これら貫通孔３１ｄ内に弾性樹脂床２を形成する弾性樹脂が侵入して、線状補強材３１が弾性樹脂床２内により定着するよう構成されている。また、この実施例の線状補強材３１は、唇側または頬側か、舌側或いは口蓋側のいずれかに配されているが、唇側または頬側、および舌側或いは口蓋側の両側に配されたものも本考案の範疇に包含される。
【００２５】
さらに、図９に示した本考案の他の実施例について説明する。
この実施例の弾性樹脂床を備えた義歯４０は、線状補強材４１が維持歯７１の側面に沿って横方向に延在する第１補強部４１ａと、第１補強部４１ａと一体的に形成され、装着される歯茎７０の基端方向に向かって延在する第２補強部４１ｂと、第１補強部４１ａおよび第２補強部４１ｂと一体的に形成され、維持歯７１の裂溝７２付近に係止可能な係止部４１ｃとからなる点で、前述した弾性樹脂床を備えた義歯３０と同じタイプのものであるが、両者の相違点は、線状補強材４１がガラス繊維で形成されている点と、第２補強部４１ｂが複数本（この実施例では２本）の維持歯７１の側面に沿って延在している点である。このように、線状補強材４１がガラス繊維にて形成され素材として透明であるため、より審美性に優れたものとなる。また、複数の維持歯７１の側面に沿って第２補強部４１ｂが延在することにより、弾性樹脂床２の補強性がより向上する。
【図面の簡単な説明】
【００２６】
【図１】本考案の弾性樹脂床を備えた義歯の一実施例の斜視図である。
【図２】図１に示した弾性樹脂床を備えた義歯を歯茎に装着した状態を示す説明図である。
【図３】図１のＡ−Ａ線断面図である。
【図４】本考案の弾性樹脂床を備えた義歯の他の実施例を歯茎に装着した状態を示す平面図である。
【図５】図４のＢ−Ｂ線断面図である。
【図６】本考案の弾性樹脂床を備えた義歯の他の実施例を歯茎に装着した状態を示す平面図である。
【図７】図６のＣ−Ｃ線断面図である。
【図８】本考案の弾性樹脂床を備えた義歯の他の実施例を歯茎に装着した状態を示す説明図である。
【図９】本考案の弾性樹脂床を備えた義歯の他の実施例を歯茎に装着した状態を示す説明図である。
【符号の説明】
【００２７】
１    弾性樹脂床を備えた義歯
２    弾性樹脂床
３    人工歯
４    線状補強材
【図１】
0003107256.tif 000003
【図２】
0003107256.tif 000004
【図３】
0003107256.tif 000005
【図４】
0003107256.tif 000006
【図５】
0003107256.tif 000007
【図６】
0003107256.tif 000008
【図７】
0003107256.tif 000009
【図８】
0003107256.tif 000010
【図９】
0003107256.tif 000011